(57)【特許請求の範囲】
【請求項１】
法面に仮設擁壁を添設し、該仮設擁壁の下端側のアンカー部を地中に埋設して前記仮設擁壁を固定すると共に、前記仮設擁壁の上端部をブラケットの一端側で把持し、且つ該ブラケットの他端側に重鎮を載置して、前記仮設擁壁の下端部を支点として該仮設擁壁の上端側に前記法面方向に働くプリモーメントを付加したことを特徴とする仮設土留め構造。
【請求項２】
前記仮設擁壁は、一対の縦枠片および横枠片を略矩形状に形成して構成した枠体内に、横架片を横架して構成することを特徴とする請求項１記載の仮設土留め構造。
【請求項３】
前記横架片は、複数片用いて構成することを特徴とする請求項２記載の仮設土留め構造。
【請求項４】
前記横架片は、複数枚を互いに前記枠体の短手方向に配するとともに前記縦枠片の縦軸方向に沿って互いに一部を重合並置することにより、前記枠体内に横架して構成することを特徴とする請求項３記載の仮設土留め構造。
【請求項５】
前記横架片を、それぞれ前記法面に対して上方に傾斜させて、ブラインド状になるよう前記枠体内に横架したことを特徴とする請求項３又は４記載の仮設土留め構造。
【請求項６】
前記横架片を、メッシュ状板で構成したことを特徴とする請求項２に記載の仮設土留め構造。
【請求項７】
前記横架片を、エキスパンド鋼板で構成したことを特徴とする請求項２に記載の仮設土留め構造。
【請求項８】
前記横架片を、フィルターを挟む一対の穴明き板で構成したことを特徴とする請求項２に記載の仮設土留め構造。
【請求項９】
法面に仮設擁壁を添設し、該仮設擁壁の上端部をブラケットの一端側で抱持すると共に、ブラケットの他端側に重鎮を載置して、前記仮設擁壁の下端部を支点として該仮設擁壁の上端側に前記法面方向に働くプリモーメントを付加したことを特徴とする仮設土留め方法。
【請求項１０】
仮設擁壁を添設固定する法面を形成すべき掘削勾配と同等の傾斜面を有する法面定規を使用し、該法面定規を、前記法面の掘削前に、予め前記法面勾配に沿わせるように掘削形成される前記法面に対する上側地面に載置しておき、次に、前記法面定規の傾斜面に仮設擁壁を寄り掛からせて、前記法面を形成すべく掘削し、前記法面定規上に寄り掛からせた仮設擁壁を掘削によって形成された法面に添設するようにしたことを特徴とする請求項９記載の仮設土留め方法。
【発明の詳細な説明】
【０００１】
【発明の属する技術分野】
本発明は、地山等を掘削して形成された平地地面に駐車場或いは建物等を建設する場合に、地山の掘削後に形成される法面を保護するための仮設土留め構造および仮設土留め方法に関する。
【０００２】
【従来の技術】
地山等を掘削して形成された平地に駐車場或いは建物等を建設する場合に、建設用地の面積が平面的に余裕あれば、大きい法面勾配（通常、法面の高さが方向１に対して平地の奥行きが１．５以上）を使って、法面の崩壊を防止しながら、建築工事ができ、また、地下水位が高い場合にはウェルポイント工法やディープウェル工法等による強制排水工法を使用して、湧水対策および湧水に伴う土砂崩壊を防止することができる。
【０００３】
しかし、建築用地が狭く、法面勾配が１対１．５以下しか取れない場合には、どうしても、法面の崩壊防止のために、法面に垂直立て壁を添設固定して行う仮設土留め工法を施す必要がある。
【０００４】
このような仮設土留め工法には、従来では、親杭横矢板工法や鋼矢板土留め工法等が採用されていた。
【０００５】
親杭横矢板工法は、一般に広く行われている土留め工法であり、図１２に示すように、地山等を段状に掘削して、上側地面１に対して、下側地面２を形成し、この下側地面２に駐車場或いは建物を建設する場合、上下側地面１、２の間に形成する法面３に土留めを行い保護するのであるが、まず、法面３に添設するように、レール形鋼或いはＨ形鋼からなる複数本の親杭４、４、４を互いに離間し且つその溝部同士が対向するように、下側地面２に埋設起立させ、親杭４、４、４の溝部４ａ，４ａ，４ａにそれぞれ複数個の松矢板５、５、５を互いに幅方向に重ねあわせて嵌合することで、法面の土留めを行うものである。
【０００６】
また、鋼矢板土留め工法は、比較的地下水位が高い土地において採用されるもので、図１３および図１４に示すように、互いに隣り合う鋼矢板６、６、６…の幅方向両端に形成されたＵ字状或いはＶ字状の掛止部６ａ, ６ａ, ６ａ同士を継手状に互いに掛合して一体化し、法面３に添設するように下側地面２に埋設して、法面３の土留めを行い保護するものである。
【０００７】
【発明が解決しようとする課題】
しかしながら、上記いずれの工法も、それぞれ解決すべき課題を持っている。すなわち、図１２に示す親杭横矢板工法と図１３および図１４に示す鋼矢板土留め工法のいずれも、図１５に示すように、親杭４或いは鋼矢板６を下側地面に深く埋設しなければ（破線視参照）、上側地面１側から受ける法面が下側地面２側に倒れ込む方向に働くモーメントを確実に受けることができないので、親杭４或いは鋼矢板６を必要寸法埋め込むための打撃回数を多く必要となり、埋設施工に手数がかかるばかりでなく、駐車場等建設後の取り外しも厄介な作業を残すことになる。また、当該土地における粘着力や内部摩擦角或いは土の単位体積重量の数値が高い土質等によっては上記モーメントに耐えるだけの親杭４や鋼矢板の埋設深さを確保できず、このために、上側地面１側からアンカーを埋蔵敷設して、上側地面１側に引っ張り込むという対策を採っているが、このアンカーの埋蔵敷設は、上側地面１部分に敷設するものであるから、もしも上側地面１の所有者が下側地面２の所有者と違っている場合には、この所有者側の了解を取る必要があるばかりでなく、上側地面１に既にビル等の建物が建設されている場合等には、アンカーそのものを敷設することが不可能となる。
【０００８】
更に、上記親杭横矢板工法においては、松矢板５、５、５…同士は密接して重合させて、法面３側の壁面から湧き出して来る地下水を遮断しようとしているが、湧き出す地下水が多量の場合に、その水圧によってどうしても松矢板５、５、５…の間に隙間ができて、この隙間から地下水が溢れ出てしまい、これによって土砂まで一緒に流出させ、法面崩壊の因となるおそれがある。
【０００９】
鋼矢板土留め工法においては、鋼矢板６、６、６…の掛止部６ａ、６ａ、６ａ同士を継手状に互いに掛合していることから、親杭横矢板工法に比べて、地下水或いは土砂の流出防止機能に優れているのであるが、鋼矢板６、６、６…自体が非常に高価格であることから、仮土留めのためのコストもその分高くなり、時には、鋼矢板６、６、６…を残したまま、法面擁壁の本工事を行ってしまい、鋼矢板６、６、６…のリ・ユースを行わず終いで、ますます不経済な工法となっていた。
【００１０】
本発明は、上記従来の問題を解決するもので、法面の仮擁壁を簡単な構造で実現し、コスト的に有利で且つ施工工数が少なくしかも地山掘削の安全率が高く、地中の湧水対策および湧水に伴う土砂の流出を確実に防止した仮設土留め構造および仮設土留め方法を提供することを目的としている。
【００１１】
【課題を解決するための手段】
上記目的を達成するために、請求項１に記載の本発明は、法面に仮設擁壁を添設し、該仮設擁壁の下端側のアンカー部を地中に埋設して前記仮設擁壁を固定すると共に、前記仮設擁壁の上端部をブラケットの一端側で把持し、且つ該ブラケットの他端側に重鎮を載置して、前記仮設擁壁の下端部を支点として該仮設擁壁の上端側に前記法面方向に働くプリモーメントを付加したことを特徴とするもので、仮設擁壁の上端側に法面方向に作用するプリモーメントを付加した結果、仮設擁壁の下端側のアンカー部は、地中への埋設寸法を比較的短くしたとしても、湧水或いは土砂流出による法面崩壊を確実に防止できる。また、アンカー部を短くできることから、仮設擁壁の撤去作業が簡単に行うことができ、しかも、仮設擁壁のリユースも自在で、コスト的に有利な仮設擁壁を得ることができる。さらに、仮設擁壁にプリモーメントを与えるブラケットは、法面を挟んで建築用地としての下側地面に対して上側地面の地上をわずか占有するだけですみ、上側地面に構築されたビルや地中に手を加えることなく、法面保護が可能となる。
【００１２】
請求項２に記載された本発明は、請求項１記載の仮設擁壁が、一対の縦枠片および横枠片を略矩形状に形成して構成した枠体内に、横架片を横架して構成するものであり、この横架片には、松矢板や鋼板等の板材或いは山形鋼等の形鋼材を用いることができ、しかも、横架片は地山等の湧水の量が極わずかな場合には、一枚物で良く、又、湧水が多量の場合には複数枚を重合して使用すれば良い。前記発明と同様、仮設擁壁の上端側に法面方向に作用するプリモーメントを付加した結果、仮設擁壁の下端側のアンカー部は、地中への埋設寸法を比較的短くしたとしても、湧水或いは土砂流出による法面崩壊を確実に防止できる。また、アンカー部を短くできることから、仮設擁壁の撤去作業が簡単に行うことができ、しかも、仮設擁壁の再利用も自在で、コスト的に有利な仮設擁壁を得ることができる。
【００１３】
請求項３に記載された本発明は、請求項２記載の横架片を複数片用いて構成するものであり、地山等の湧水の量が多い場合、横架片同士の間から水を排出することができ、湧水対策を施工したことになり、しかも鋼矢板に比して、価格的に有利となって、仮設擁壁自体の建設費も下げることができる。
【００１４】
請求項４に記載された本発明は、請求項３記載の仮設擁壁を構成する横架片が、複数枚を互いに前記枠体の短手方向に配するとともに前記縦枠片の縦軸方向に沿って互いに一部を重合並置することにより、前記枠体内に横架して構成したもので、複数枚を互いに前記法面に対して幅方向に重合し、前記枠体内に横架して構成したもので、松矢板や鋼材等から構成する横架片自身が鋼矢板に比して、価格的に有利となって、仮設擁壁自体の建設費も下げることができる。
【００１５】
請求項５に記載された本発明は、請求項３又は４記載の仮設擁壁を構成する複数の横架片を、法面に対して上方に傾斜させて、ブラインド状になるよう前記枠体内に横架して構成するため、各横架片間の寸法を極小さな隙間に形成すれば、この隙間から湧水を排出することができる反面、土砂の流出は防止することができ、法面崩壊を未然に防ぎ、災害安全率の高い仮設擁壁を提供することができる。
【００１６】
請求項６に記載された本発明は、請求項２記載の横架片を、メッシュ状板で構成したことにより、メッシュによって形成される極小さな隙間から湧水を排出することができる反面、土砂の流出は防止することができ、法面崩壊を未然に防ぎ、災害安全率の高い仮設擁壁を提供することができる。
【００１７】
請求項７に記載された本発明は、請求項２記載の横架片を、エキスパンド鋼板で構成したことにより、エキスパンド鋼板の極小さな細孔から湧水を排出することができる反面、土砂の流出は防止することができ、法面崩壊を未然に防ぎ、災害安全率の高い仮設擁壁を提供することができる。
【００１８】
請求項８に記載された本発明は、請求項２記載の横架片を、フィルターを挟む一対の穴明き板で構成したことにより、フィルターの極小さな細孔から湧水を排出することができる反面、土砂の流出は防止することができ、法面崩壊を未然に防ぎ、災害安全率の高い仮設擁壁を提供することができる。
【００１９】
請求項９に記載に記載された本発明は、法面に仮設擁壁を添設し、該仮設擁壁の上端部をブラケットの一端側で抱持すると共に、ブラケットの他端側に重鎮を載置して、前記仮設擁壁の下端部を支点として該仮設擁壁の上端側に前記法面方向に働くプリモーメントを付加したことを特徴とする仮設土留め方法であることから、仮設擁壁の上端側に法面方向に作用するプリモーメントを付加した結果、仮設擁壁の下端側のアンカー部は、地中への埋設寸法を比較的短くしたとしても、湧水或いは土砂流出による法面崩壊を確実に防止できる。また、アンカー部を短くできることから、仮設擁壁の撤去作業が簡単に行うことができ、しかも、仮設擁壁のリユースも自在で、コスト的に有利な仮設擁壁を得ることができる。
【００２０】
請求項１０に記載された本発明は、請求項９記載の仮設擁壁を添設固定する法面を形成すべき掘削勾配と同等の傾斜面を有する法面定規を使用し、該法面定規を、前記法面の掘削前に、予め前記法面勾配に沿わせるように掘削形成される前記法面に対する上側地面に載置しておき、次に、前記法面定規の傾斜面に仮設擁壁を寄り掛からせておいて、前記法面を形成すべく掘削し、前記法面定規上に寄り掛からせた仮設擁壁を掘削によって形成された法面に添設するようにしたことを特徴とする仮設土留め方法であり、法面定規の掘削勾配と同等な傾斜角を有する傾斜面によって、設計通りの法面勾配を持った法面を形成することができると共に、法面掘削前に法面定規によって仮設擁壁を寄り掛からせることによって、チェーン等使用することなく、法面掘削しながら順次仮設擁壁を法面に添設することができ、仮設擁壁の施工を容易に行うことができる。
【００２１】
【発明の実施の形態】
以下、本発明の実施の形態について、図１乃至図５を用いて説明する。
【００２２】
図１は、本発明の実施の形態による仮設擁壁により法面を保護した場合の仮設擁壁構造を概略的に示す斜視図、図２は図１における仮設擁壁の斜視図、図３は図２のIII-III 断面図、図４は図２のIV-IV 断面図、図５は地面を断面にして描画した図１における側面図である。
図において、地山等を段状に掘削して、平地の上側地面１１に対して、平地の下側地面１２を形成すべく、法面１３を掘削形成している。
法面１３は、仮設擁壁１４が添設固定されて、仮設土留め壁が構成され、法面崩壊等から保護されている。
【００２３】
仮設擁壁１４は、法面１３を縦方向に複数個分割した分割擁壁１４ａ，１４ｂ，１４ｃ…をもって構成している。一単位の分割擁壁１４ａ、１４ｂ、１４ｃは、レール形鋼或いはＨ形鋼等の形鋼から構成する一対の縦枠片１５、１６および同じく形鋼から構成する横枠片１７、１８を縦長の略矩形状の枠体１９に形成し、この枠体１９の枠内に、一枚又は複数の松矢板や鋼材から成る板材或いは山形鋼等の形鋼から成る横架片２０、２０…を短手幅方向に配して構成している。この横架片２０、２０…は地山等の湧水の量によって、極少量の場合には、一枚物を使用することになるが、この実施の形態のように多量の場合には、複数枚を使用するようにする。そして、この横架片２０、２０…はこの実施の形態では、平板材で構成している。さらに、分割擁壁１４ａ，１４ｂ，１４ｃ…について詳しく説明すると、図２乃至図４に示すように、この実施の形態においては、縦枠片１５，１６は形鋼の中でＨ形鋼を使用しており、横枠片１７，１８はレール形鋼を使用している。
【００２４】
縦枠片１５，１６は、そのそれぞれの一方の溝２１，２１が互いに対向して配置されており、これら溝２１、２１に横架片２０，２０…の両端をそれぞれ嵌合している。この嵌合形態は、縦枠片１５，１６の縦軸に対してある程度傾斜させ、分割擁壁１４ａ，１４ｂ，１４ｃ…の正面側から見て間隙をもって一部が互いに重合しながら縦枠片１５，１６の縦軸方向に沿って並置されて、所謂ブラインド状を形成している。そして、横架片２０，２０…は、後述するように各分割擁壁１４ａ，１４ｂ，１４ｃ…をそれぞれ法面１３に添設固定したときに、この法面１３に対して、上方に傾斜するように配されている。横架片２０，２０…の枠体１９における最上端及び最下端は、横枠片１７，１８の溝２２，２２にそれぞれ嵌合している。
【００２５】
また、下側の横枠片１８の底部における少なくともその左右両端部には、鉄筋等からなるアンカー２３，２３を植設して、アンカー部を形成している。上記のように構成する分割擁壁１４ａ，１４ｂ，１４ｃ…は、図１に示すように、掘削して形成した法面１３にそれぞれ隙間なく添設されて、そのアンカー２３を下側地面１２における法面１３との近設部位に埋設して固定し、全体で仮設擁壁１４を構成することになる。そして、分割擁壁１４ａ，１４ｂ，１４ｃ…の上側の横枠片１７は、ブラケット２４の一端に把持されており、ブラケット２４の他端には、上側地面１１上に延在し、たとえば長尺のＨ形鋼で構成する重鎮２５が載置されて、図５に示すように、ブラケット２４全体が上側地面１１の地表より浮き上がった状態で保持され、分割擁壁１４ａ，１４ｂ，１４ｃ…における、下側地面１２に埋設されたアンカーを有する下端部を支点として、上端部に法面１３方向（矢印方向）に働くモーメントを付加して、仮設擁壁１４により、法面１３を保護している。
【００２６】
前記ブラケット２４は、詳細には図６に示すように、縦方向に例えば３本のＨ形鋼からなる縦方向棹体２６、２６、２６を互いに間隙を明けて配されており、この棹体２６、２６、２６の一端部に、その先端部２６ａ，２６ａ，２６ａを残して下側よりやはりＨ形鋼からなる把持体２７を跨設し、棹体２６、２６、２６の他端部には、その上端部が棹体２６、２６、２６の上側に突出させた板状受け体２８が跨設され、更に、棹体２６、２６、２６の下面部側において、把持体２７の下端部と板状受け体２８の下端部との間に、板状の介在体２９が介在跨設されており、更に、棹体２６、２６、２６の先端部２６ａ，２６ａ，２６ａの下面部と把持体２７の前面部２７ａに、三角形状の補強板３０、３０、３０がそれぞれ跨設されて構成している。
【００２７】
そして、ブラケット２４の把持体２７の溝部が、上側の横枠片１７を嵌合して把持しているのである。又、板状受け体２８は、重鎮２５の転がりを防止するための受け部として働く。
【００２８】
次に、上記仮設擁壁１４を法面１３に添設する場合に使用する法面定規について、図７を用いて説明する。図７における３１は法面定規を示しており、この法面定規３１は、それぞれ形鋼のうちＨ形鋼からなる３本の縦桁３２および横桁３３をＥ型に形成して基枠体３４を形成し、この基枠体３４の前端側３４ａに板状定規体３５の下端側裏面が固設され、この板状定規体３５の上端裏面両端にそれぞれ支持棒３６の一端を固設すると共にこの支持棒３６の他端を前記基枠体３４の後端側３４ｂに固設することにより板状定規体３５が基枠体３４の底面に対して前記法面１３の法面勾配に略適合する傾斜面３５ａを有するように傾斜設置されて、構成している。
【００２９】
このように構成する法面定規３１は、図８に示すように、使用する。すなわち、法面定規３１は、法面１３の掘削前に該法面１３の法面勾配に板状定規体３５の傾斜面３５ａが略適合するように、上側地面１１と下側地面１２との境目に板状定規体３５の下端を近接させて、上側地面１１に載置しておく。次に、仮設擁壁１４を構成する分割擁壁１４ａを傾斜面３５ａに沿わせ載置しておき、下側地面１２の形成前平地１２ａを掘削中途地面１２ｂまで掘削した段階で、この掘削中途地面１２ｂまで分割擁壁１４ａを板状定規体３５の傾斜面３５ａを摺動させながら、下降１４ａ1 させ、これらを何回か繰り返すことによって、更に法面１３を掘削形成して、下側地面１２が形成された時点で、アンカー２３を下側地面１２における法面１３との近設部位に埋設固定する。この結果、仮設擁壁１４の一単位である分割擁壁１４ａを法面１３に添設固定される。仮設擁壁１４を構成する他の分割擁壁１４ｂ，１４ｃも分割擁壁１４ａと同様な工程で埋設固定することによって、仮設擁壁１４が形成し、この仮設擁壁１４に上記したようにプリモーメントを付与することにより、法面１３の保護壁を形成することになる。
【００３０】
上記のように構成する本発明の実施の形態によれば、仮設擁壁１４の上端側に法面１３方向に作用するプリモーメントを付加した結果、仮設擁壁１４の下端側のアンカー部２３は、地中への埋設寸法を比較的短くしたとしても、湧水或いは土砂流出による法面崩壊を確実に防止でき、しかも、アンカー部２３を短くできるということは、工事後の仮設擁壁１４を容易に取り外すことになって、このため、仮設擁壁１４のリユースが自在となって、コスト的に有利な仮設擁壁であるといえる。
【００３１】
また、アンカー部２３を短くできることから、仮設擁壁１４の撤去作業が簡単に行うことができ、しかも、仮設擁壁１４のリユースも自在で、コスト的に有利な仮設擁壁を得ることができる。
【００３２】
さらに、仮設擁壁１４にプリモーメントを与えるブラケット２４は、法面１３を挟んで建築用地としての下側地面１２に対して上側地面１１の地上をわずか占有するだけですみ、上側地面１１に構築されたビルや地中に手を加えることなく、法面保護が可能となる。
【００３３】
仮設擁壁１４は、分割擁壁１４ａ，１４ｂ，１４ｃで構成され、この分割擁壁１４ａ，１４ｂ，１４ｃにおける枠体１９内に、複数の横架片２０を横架し、この横架片２０を、法面１３に対して上方に傾斜させて、ブラインド状になるよう枠体１９内に横架して構成するため、図９に示すように、各横架片２０の間の寸法を極小さな隙間３７、３７…に形成すれば、この隙間３７、３７…. から湧水３８を排出することができる反面、土砂３９の流出は防止することができ、法面１３の崩壊を未然に防ぎ、災害安全率の高い仮設擁壁であるといえる。
【００３４】
仮設擁壁１４を法面１３に添設固定する際に、法面定規３１を使用すると、この法面定規３１の傾斜面３５ａを掘削勾配としてこの傾斜面３５ａに沿って法面１３を形成していけば所定の法面勾配を有する設定通りの法面勾配を持った法面１３を形成することができると共に、法面１３の掘削前に法面定規３１によって仮設擁壁１４を寄り掛からせることによって、法面定規３１によって仮設擁壁１４が法面１３側へもたれる「もたれ壁」として安全側に働き、チェーン等使用することなく、法面１３ｂを掘削しながら順次仮設擁壁１４を法面１３に添設することができ、仮設擁壁１４の施工を容易に行うことができ、しかも、仮設擁壁１４の敷設のために、はじめから完全なる下側地面１２を形成する必要がなく、作業ができる範囲内のある程度穴を掘削して、法面１３を形成しながら仮設擁壁１４をこの法面１３に添設可能であり、仮設擁壁１４の添設し、法面１３を保護した後に、本格的に下側地面１２の整地作業を行うことができ、この点からも、安全作業を保証できる。
【００３５】
なお、本発明による横架片２０は、上記実施の形態では枠体１９にブラインド状に横架するものであったが、これに限定されるものではなく、たとえば、エキスパンド鋼板（不図示）で構成したり、又、図１０に示すように、メッシュ状板２０1で構成したり、更には、図１１に示すように、フィルター２０2ａを挟む一対の穴明き板２０2で構成することができ、これによってもエキスパンド鋼、メッシュ状板２０1或いはフィルター２０2ａの極小さな細孔から湧水３８を排出することができる反面、土砂３９の流出は防止することができ、法面１３の崩壊を未然に防ぎ、災害安全率の高い仮設擁壁１４を提供することになる。また、上記実施の形態では、重鎮２５として、Ｈ形鋼を使用したが、これに限定されず、たとえば、棒材や鋼球等でもよい。
【００３６】
【発明の効果】
以上のように、請求項１に記載の本発明は、法面に仮設擁壁を添設し、該仮設擁壁の下端側のアンカー部を地中に埋設して前記仮設擁壁を固定すると共に、前記仮設擁壁の上端部をブラケットの一端側で把持し、且つ該ブラケットの他端側に重鎮を載置して、前記仮設擁壁の下端部を支点として該仮設擁壁の上端側に前記法面方向に働くプリモーメントを付加したことを特徴とするもので、仮設擁壁の上端側に法面方向に作用するプリモーメントを付加した結果、仮設擁壁の下端側のアンカー部は、地中への埋設寸法を比較的短くしたとしても、湧水或いは土砂流出による法面崩壊を確実に防止できる。また、アンカー部を短くできることから、仮設擁壁の撤去作業が簡単に行うことができ、しかも、仮設擁壁の再利用も自在で、コスト的に有利な仮設擁壁を得ることができる。さらに、仮設擁壁にプリモーメントを与えるブラケットは、法面を挟んで建築用地としての下側地面に対して上側地面の地上をわずか占有するだけですみ、上側地面に構築されたビルや地中に手を加えることなく、法面保護が可能となる。
【００３７】
請求項２に記載された本発明は、請求項１記載の仮設擁壁が、略矩形状に形成した枠体内に、横架片を横架して構成するものであり、この横架片には、松矢板や鋼板等の板材或いは山形鋼等の形鋼材を用いることができ、しかも横架片は地山等の湧水の量が極わずかな場合には一枚物で良く、又、湧水が多量の場合には複数板を重合して使用して、横架片同士の間から水を排出するようにできる。前記発明と同様、仮設擁壁の上端側に法面方向に作用するプリモーメントを付加した結果、仮設擁壁の下端側のアンカー部は、地中への埋設寸法を比較的短くしたとしても、湧水或いは土砂流出による法面崩壊を確実に防止できる。また、アンカー部を短くできることから、仮設擁壁の撤去作業が簡単に行うことができ、しかも、仮設擁壁の再利用も自在で、コスト的に有利な仮設擁壁を得ることができる。
【００３８】
請求項３に記載された本発明は、請求項２記載の横架片を複数片用いて構成するものであり、地山等の湧水の量が多い場合に、横架片同士の間から水を排出することができ、湧き水対策を同時に施す結果となり、しかも鋼矢板に比して、価格的に有利となって、仮設擁壁自体の建築費も下げることができる。
【００３９】
請求項４に記載された本発明は、請求項３記載の仮設擁壁を構成する横架片が、複数枚を互いに前記枠体の短手方向に配するとともに前記縦枠片の縦軸方向に沿って互いに一部を重合並置することにより、前記枠体内に横架して構成したもので、複数枚を互いに前記法面に対して幅方向に重合し、前記枠体内に横架して構成したもので、松矢板や鋼板等から構成する横架片自身が鋼矢板に比して、価格的に有利となって、仮設擁壁自体の建築費も下げることができる。
【００４０】
請求項５に記載された本発明は、請求項３又は４記載の仮設擁壁を構成する複数の横架片を、法面に対して上方に傾斜させて、ブラインド状になるよう前記枠体内に横架して構成するため、各横架片間の寸法を極小さな隙間に形成すれば、この隙間から湧水を排出することができる反面、土砂の流出は防止することができ、法面崩壊を未然に防ぎ、災害安全率の高い仮設擁壁を提供することができる。
【００４１】
請求項６に記載された本発明は、請求項２記載の横架片を、メッシュ状板で構成したことにより、メッシュによって形成される極小さな隙間から湧水を排出することができる反面、土砂の流出は防止することができ、法面崩壊を未然に防ぎ、災害安全率の高い仮設擁壁を提供することができる。
【００４２】
請求項７に記載された本発明は、請求項２記載の横架片を、エキスパンド鋼板で構成したことにより、エキスパンド鋼板の極小さな細孔から湧水を排出することができる反面、土砂の流出は防止することができ、法面崩壊を未然に防ぎ、災害安全率の高い仮設擁壁を提供することができる。
【００４３】
請求項８に記載された本発明は、請求項２記載の横架片を、フィルターを挟む一対の穴明き板で構成したことにより、フィルターの極小さな細孔から湧水を排出することができる反面、土砂の流出は防止することができ、法面崩壊を未然に防ぎ、災害安全率の高い仮設擁壁を提供することができる。
【００４４】
請求項９に記載に記載された本発明は、法面に仮設擁壁を添設し、該仮設擁壁の上端部をブラケットの一端側で抱持すると共に、ブラケットの他端側に重鎮を載置して、前記仮設擁壁の下端部を支点として該仮設擁壁の上端側に前記法面方向に働くプリモーメントを付加したことを特徴とする仮設土留め方法であることから、仮設擁壁の上端側に法面方向に作用するプリモーメントを付加した結果、仮設擁壁の下端側のアンカー部は、地中への埋設寸法を比較的短くしたとしても、湧水或いは土砂流出による法面崩壊を確実に防止できる。また、アンカー部を短くできることから、仮設擁壁の撤去作業が簡単に行うことができ、しかも、仮設擁壁のリユースも自在で、コスト的に有利な仮設擁壁を得ることができる。
【００４５】
請求項１０に記載された本発明は、請求項９記載の仮設擁壁を添設固定する法面を形成すべき掘削勾配と同等の傾斜面を有する法面定規を使用し、該法面定規を、前記法面の掘削前に、予め前記法面勾配に沿わせるように掘削形成される前記法面に対する上側地面に載置しておき、次に、前記法面定規の傾斜面に仮設擁壁を寄り掛からせておいて、前記法面を形成すべく掘削し、前記法面定規上に寄り掛からせた仮設擁壁を掘削によって形成された法面に添設するようにしたことを特徴とする仮設土留め方法であり、法面定規の掘削勾配と同等な傾斜角を有する傾斜面によって、設計通りの法面勾配を持った法面を形成することができると共に、法面掘削前に法面定規によって仮設擁壁を寄り掛からせることによって、仮設擁壁の法面側にもたれるも「もたれ壁」として安全側に働き、チェーン等使用することなく、法面掘削しながら順次仮設擁壁を法面に添設することができ、仮設擁壁の施工を容易に行うことができ、しかも、仮設擁壁の敷設のために、はじめから完全なる下側地面を形成する必要がなく、作業ができる範囲内のある程度穴を掘削して、法面を形成しながら仮設擁壁をこの法面に添設可能であり、仮設擁壁の添設し、法面を保護した後に、本格的に下側地面の整地作業を行うことができ、この点からも安全作業を保証できる。
【図面の簡単な説明】
【図１】  本発明の実施の形態による仮設擁壁により法面を保護した場合の仮設擁壁構造を概略的に示す斜視図である。
【図２】  図１における仮設擁壁の斜視図である。
【図３】  図２のIII-III 断面図である。
【図４】  図２のIV-IV 断面図である。
【図５】  地面を断面にして描画した図１における側面図である。
【図６】  仮設擁壁にプリモーメントを付与するブラケットの斜視図である。
【図７】  仮設擁壁の法面への添設をする場合に使用する法面定規の斜視図である。
【図８】  図７の法面定規を使用した仮設擁壁の施工例を説明するための説明図である。
【図９】  本発明による実施の形態における仮設擁壁の作用を説明するための説明図である。
【図１０】  本発明の他の実施の形態による仮設擁壁の斜視図である。
【図１１】  本発明の更に他の実施の形態による仮設擁壁の斜視図である。
【図１２】  従来の親杭横矢板工法による仮設土留め構造を概略的に示す斜視図である。
【図１３】  従来の鋼矢板土留め工法による仮設土留め構造を概略的に示す斜視図である。
【図１４】  図１３の鋼矢板の横断面図である。
【図１５】  従来の仮設土留め構造を概略的に示す側面図である。
【符号の説明】
１１      上側地面
１２      下側地面
１３      法面
１４      仮設擁壁
１４ａ，１４ｂ，１４ｃ    分割擁壁
１９      枠体
２０      横架片
２３      アンカー
２４      ブラケット
２５      重鎮
３１      法面定規
３５      板状定規体
３５ａ    傾斜面
【図１】
0003971504.tif 000002
【図２】
0003971504.tif 000003
【図３】
0003971504.tif 000004
【図４】
0003971504.tif 000005
【図５】
0003971504.tif 000006
【図６】
0003971504.tif 000007
【図７】
0003971504.tif 000008
【図８】
0003971504.tif 000009
【図９】
0003971504.tif 000010
【図１０】
0003971504.tif 000011
【図１１】
0003971504.tif 000012
【図１２】
0003971504.tif 000013
【図１３】
0003971504.tif 000014
【図１４】
0003971504.tif 000015
【図１５】
0003971504.tif 000016